(57)【特許請求の範囲】
【請求項１】
上面中央部に磁気回路部品を保持する磁気回路部品固定部を有し、且つ該磁気回路部品固定部の外径側に環状の振動板取付面を有し、且つ該振動板取付面の外径側に張り出した環状張出し面と、を有した振動板取付治具と、
前記振動板取付治具の前記環状張出し面に設けた位置決め部と係合する被位置決め部を外周上面に有すると共に前記振動板取付面に取り付けられた振動板の背面とボイスコイル支持治具とを露出させる開口部を有し、且つ該開口部の内周縁にダンパー支持部を有した環状のダンパー取付け治具と、を備え、
前記ダンパー取付け治具は、分離可能な複数の分割片から構成されることを特徴とするスピーカユニット組立て治具。
【請求項２】
前記複数の分割片は、２つの半環状片であることを特徴とする請求項１に記載のスピーカユニット組立て治具。
【請求項３】
前記振動板取付面は、コーン形状の前記振動板の一面を密着支持するコーン形状であることを特徴とする請求項１又は２に記載のスピーカユニット組立て治具。
【請求項４】
前記振動板取付治具は、前記振動板取付面と前記環状張出し面との間に、前記振動板取付面に添設された振動板の最外周縁にあるエッジロール部を受け入れる環状凹部を備えていることを特徴とする請求項１、２又は３に記載のスピーカユニット組立て治具。
【請求項５】
請求項１乃至４の何れか一項に記載のスピーカユニット組立て治具を用いてスピーカユニットを組み立てる方法であって、
前記磁気回路部品固定部により保持された磁気回路部品に設けた環状スリット内に軸方向端部を嵌合する薄肉円筒状のボイスコイルの内径部に嵌合して支持すると共に該ボイスコイルを前記環状スリット内に嵌合させた状態で前記振動板取付治具中央部から突出するボイスコイル支持治具を用意する工程と、
前記振動板取付治具の前記磁気回路部品固定部内に前記磁気回路部品を保持する工程と、
前記ボイスコイル支持治具により内径部を支持された前記ボイスコイルの軸方向前端部を前記磁気回路部品の環状スリット内に嵌合させる工程と、
前記振動板取付面に前記振動板を取り付ける工程と、
前記位置決め部と被位置決め部とを整合させつつ前記ダンパー取付け治具を構成する複数の分割片を前記環状張出し面に組み付ける工程と、
前記ダンパー取付け治具のダンパー支持部上にダンパーの外周縁を支持させた状態で該ダンパー内周部を前記ボイスコイルと接着固定する工程と、
前記ダンパー取付け治具を構成する各分割片を前記振動板取付治具から取り外す工程と、
前記振動板取付治具上の前記振動板及び前記ダンパーに対して略環状のフレームを組み付け固定する工程と、
前記フレームの中央開口部内に位置する前記ボイスコイル支持治具を除去してから前記フレームの中央部に対して支柱部材を組み付け、前記支柱部材と前記磁気回路部品とを固定する工程と、
を備えたことを特徴とするスピーカユニットの組立て方法。
【請求項６】
前記振動板取付治具上の前記振動板及び前記ダンパーに対して略環状のフレームを組み付け固定する工程において、
前記振動板取付治具の前記環状張出し面を、前記フレームを位置決めするフレーム位置決め手段として利用することを特徴とする請求項５に記載のスピーカユニットの組立て方法。
【発明の詳細な説明】
【技術分野】
【０００１】
本発明は、振動系部品の前面側に磁気回路部品を組み付けた構造のスピーカユニットを組み立てる際に使用する組立て治具、及びこの治具を用いた組立て方法に関するものである。
【背景技術】
【０００２】
スピーカは、磁気回路部品（ヨーク、プレート、マグネット）に振動系部品（ボイスコイル、ダンパー、振動板）を組み付けた構造のスピーカユニットを、筐体によって支持した構成を備えている。
図１２は従来のコーン型のスピーカユニットの構成を示す縦断面図であり、フレーム１００の背面側の規定位置に磁気回路部品１０１を構成するヨーク１０２、プレート１０３、マグネット１０４を順次組み付けると共に、フレーム１００の前面側の規定位置に振動系部品１１１を構成するボイスコイル１１２、ダンパー１１３、コーン形状の振動板１１４を順次組み付けた構造を備えている。また、このようなスピーカユニットの組付けに際しては、フレーム１００をベースとして磁気回路部品１０１、ボイスコイル１１２、ダンパー１１３、振動板１１４を順次取付けることで行われていた。そして各種部品の取付け位置については、フレームに各種部品の設置位置における位置決め部を設けることで、簡易な組み付け工程で正確な位置決めを可能としていた。
【０００３】
より具体的には、フレーム１００に予め組付けられたヨーク１０２、マグネット１０４、並びにプレート１０３から構成される磁気回路部品１０１を取り付け、ヨーク１０２とプレート１０３との間に形成される環状スリットＳ内に薄肉円筒状のボイスコイル１１２の一端部を差し込んでから、ダンパー１１３をフレーム１００のダンパー座１００ａに着座させて接着し、続いて振動板１１４をフレームの貼り台１００ｂに載せて接着する。振動系部品１１１のうちダンパー１１３や振動板１１４は、夫々フレーム１００の規定位置に組み付けることによって高さ位置を確定させることができる。
なお、幅が極めて狭い環状スリットＳ内に位置精度よく（適正なギャップクリアランスを確保しつつ）薄肉のボイスコイルの端部を差し込み固定する作業は容易ではないため、筒状のボイスコイル支持治具をボイスコイル１１２の内径側に嵌合させて支持した上で、この専用治具を利用してボイスコイル１１２を効率よく環状スリット内に差し込む作業を行っている。このボイスコイル挿着作業では、環状スリットＳの位置を目視確認しながら、専用治具を所定位置に設置してボイスコイル１１２の先端部を環状スリット内に差し込むことができるため比較的容易であり、環状スリット内におけるボイスコイルの傾き、位置ずれを防止し易い。
【０００４】
次に、図１３は磁気回路部品を振動系部品の前面中央部側に配置することによって薄型化を図ったタイプのスピーカユニットの構成を示す断面図である。このスピーカユニットは、フレーム１００の前面側にボイスコイル１１２、ダンパー１１３、及び振動板１１４を順次組み付けると共に、フレーム１００に固定された支柱部材１１５によって中心部を支持されたボイスコイル１１２の先端部を磁気回路部品１０１の背面に設けた環状スリットＳ内に差込み固定した構成を備えている。
このように振動系部品１１１の前面中央部に磁気回路部品１０１を配置したタイプのスピーカユニットにあっては、先に説明した従来のコーン型スピーカのようにフレームをベースとして組立てを行うことは非常に困難である。
【０００５】
即ち、図１２のスピーカと同様の手順によって、フレーム１００に対してダンパー１１３や振動板１１４を位置決めする手順を先行させて組立てる工程を実施する場合、最終工程でヨーク１０２、プレート１０３、マグネット１０４からなる磁気回路部品１０１を組み付けることになる。この場合、既にフレーム１００に固定されているダンパー１１３や振動板１１４のセンター位置に接着されているボイスコイル１１２の先端部に磁気回路ヨーク１０２とプレート１０３間に形成されている環状スリットＳを位置合わせして矢印の方向に挿入することになるが、両者をガイドする部材が無く、しかも環状スリットの位置を目視確認しながらの挿入作業にはならないために、環状スリットＳとボイスコイルとの間のギャップクリアランスを均一に保つことは困難である。そして、正確なギャップクリアランスが確保できていない状態でボイスコイルを駆動すると音の歪の原因となり、更には、ボイスコイルが磁気回路や支柱部材に接触してしまうことで異音が発生したり、大振幅時には破壊に至る可能性がある。
【０００６】
特開平０９−００９３８８号公報、特開２００３−２５０１９４公報、特開２００４−２４７８２５公報には、振動系部品の前面中央部に磁気回路部品を配置したタイプのスピーカユニットが開示されているが、フレーム側に予め固定されたボイスコイルの端部に磁気回路部品側の環状スリットを正確な位置関係で挿入する方法については一切開示されていない。
【特許文献１】特開平０９−００９３８８号公報
【特許文献２】特開２００３−２５０１９４公報
【特許文献３】特開２００４−２４７８２５公報
【発明の開示】
【発明が解決しようとする課題】
【０００７】
以上のように振動系部品の前面側中央部に磁気回路部品を組み付けた構造のスピーカユニットを組み立てる際には、ボイスコイル端部を磁気回路部品側の環状スリット内に正確な位置関係で挿入することが困難であり、正確なギャップクリアランスが確保されていない場合、スピーカユニットの駆動時にボイスコイルの擦れにより異音が発生したり、大振幅時には破壊に至る可能性がある。
本発明は上記に鑑みてなされたものであり、振動系部品の前面側中央部に磁気回路部品を組み付けた構造のスピーカユニットを組み立てる際に、組立て治具側に予め固定された磁気回路部品側の環状スリット内にボイスコイルの端部を正確な位置関係で挿入することを可能にして組付け精度を高めるようにしたスピーカユニット組立て治具、及び組立て方法を提供することを目的としている。
【課題を解決するための手段】
【０００８】
上記目的を達成するため、請求項１の発明に係るスピーカユニット組立て治具は、上面中央部に磁気回路部品を保持する磁気回路部品固定部を有し、且つ該磁気回路部品固定部の外径側に環状の振動板取付面を有し、且つ該振動板取付面の外径側に張り出した環状張出し面と、を有した振動板取付治具と、前記振動板取付治具の前記環状張出し面に設けた位置決め部と係合する被位置決め部を外周上面に有すると共に前記振動板取付面に取り付けられた振動板の背面とボイスコイル支持治具とを露出させる開口部を有し、且つ該開口部の内周縁にダンパー支持部を有した環状のダンパー取付け治具と、を備え、前記ダンパー取付け治具は、分離可能な複数の分割片から構成されることを特徴とする。
振動板取付治具の上面中央部に設けた固定部によって磁気回路部品を固定して環状スリットが露出されるようにしたので、環状スリット（ギャップ）の位置を目視確認しながらボイスコイル端部を正確に挿入することが可能となる。組立て治具をガイドとして、他の部品である振動板、ダンパー等を順次正確に組み付けることが可能となり、振動板およびダンパーの高さ位置を正確化することができる。
ダンパー取付け治具は互いに分離自在な複数の分割片から構成されており、振動板取付治具に設けた位置決め部により位置決め可能であるため、ダンパーを正確に位置出ししてボイスコイルに接着することが可能となる。特に、ダンパー取付け治具が分離可能な複数の分割片から構成されているため、ダンパーとボイスコイルの接着後にダンパー取付け治具を容易に外すことができる。
【０００９】
請求項２の発明は、請求項１において、前記複数の分割片は、２つの半環状片であることを特徴とする。
スピーカが通常の外径を有する場合には、２つの半環状片から構成することにより、取扱性を高めることができる。一方、スピーカが大口径であるような場合、ダンパー取付け治具を３個もしくはそれ以上の分割片から構成することで各分割片を取り扱いやすい大きさとすることができ、ダンパー取付け治具を取り除く工程での作業性が向上する。
請求項３の発明は、請求項１又は２において、前記振動板取付面は、コーン形状の前記振動板の一面を密着支持するコーン形状であることを特徴とする。
振動板は振動板取付面に密着した状態となるため、他の部品の組付け工程中に加わる外力によって振動板が浮き沈みして変形することがなくなる。
請求項４の発明は、請求項１、２又は３において、前記振動板取付治具は、前記振動板取付面と前記環状張出し面との間に、前記振動板取付面に添設された振動板の最外周縁にあるエッジロール部を受け入れる環状凹部を備えていることを特徴とする。
組立て工程中に、振動板のエッジロール部は環状凹部内に入り込んでいるので、外力から保護される。
【００１０】
請求項５の発明に係るスピーカユニットの組立て方法は、請求項１乃至４の何れか一項に記載のスピーカユニット組立て治具を用いてスピーカユニットを組み立てる方法であって、前記磁気回路部品固定部により保持された磁気回路部品に設けた環状スリット内に軸方向端部を嵌合する薄肉円筒状のボイスコイルの内径部に嵌合して支持すると共に該ボイスコイルを前記環状スリット内に嵌合させた状態で前記振動板取付治具中央部から突出するボイスコイル支持治具を用意する工程と、前記振動板取付治具の前記磁気回路部品固定部内に前記磁気回路部品を保持する工程と、前記ボイスコイル支持治具により内径部を支持された前記ボイスコイルの軸方向前端部を前記磁気回路部品の環状スリット内に嵌合させる工程と、前記振動板取付面に前記振動板を取り付ける工程と、前記位置決め部と被位置決め部とを整合させつつ前記ダンパー取付け治具を構成する複数の分割片を前記環状張出し面に組み付ける工程と、前記ダンパー取付け治具のダンパー支持部上にダンパー外周縁を支持させた状態で該ダンパー内周部を前記ボイスコイルと接着固定する工程と、前記ダンパー取付け治具を構成する各分割片を前記振動板取付治具から取り外す工程と、前記振動板取付治具上の前記振動板及び前記ダンパーに対して略環状のフレームを組み付け固定する工程と、前記フレームの中央開口部内に位置する前記ボイスコイル支持治具を除去してから前記フレームの中央部に対して支柱部材を組み付け、前記支柱部材と前記磁気回路部品とを固定する工程と、を備えたことを特徴とする。
【００１１】
請求項６の発明は、前記振動板取付治具上の前記振動板及び前記ダンパーに対して略環状のフレームを組み付け固定する工程において、前記振動板取付治具の前記環状張出し面を、前記フレームを位置決めするフレーム位置決め手段として利用することを特徴とする。
振動板取付治具をフレーム組付け時のガイド、基準とすることにより、フレーム組付け作業性、組付け精度を高めることができる。
【発明の効果】
【００１２】
本発明では、磁気回路部品固定部、振動板取付面、及び環状張出し面を有した振動板取付治具と、環状張出し面に設けた位置決め部と係合する被位置決め部を外周前面に有すると共に振動板取付面に取り付けられた振動板の一部を露出させる開口部を有し、且つ該開口部の内周縁にダンパー支持部を有した環状のダンパー取付け治具と、を備え、ダンパー取付け治具は、分離可能な複数の分割片から構成される。
このため、振動系部品の前面側中央部に磁気回路部品を組み付けた構造のスピーカユニットを組み立てる際に、組立て治具側に予め固定された磁気回路部品側の環状スリット内にボイスコイルの端部を正確な位置関係で挿入することを可能にして組付け精度を高めることができる。
【発明を実施するための最良の形態】
【００１３】
以下、本発明を図面に示した実施の形態により詳細に説明する。
図１（ａ）は本発明の組立て治具によって組み立てられたスピーカユニットの構成を示す斜視図、（ｂ）は分解斜視図、（ｃ）は正面図、（ｄ）はＡ−Ａ断面図である。
スピーカユニット１は、フレーム２の前面側に振動系部品１０を構成する薄肉円筒状のボイスコイル１１、環状のダンパー１３、及び振動板（コーン紙）１４を組み付けると共に、フレーム２の開口部内に背面側から差込み固定された支柱部材３０によって中心部を支持されたボイスコイル１１の先端部を磁気回路部品２０の背面に設けた環状スリットＳ内に差込み固定した構成を備えている。
【００１４】
磁気回路部品２０は、ヨーク２１、マグネット２２、及びプレート２３から概略構成されている。図１（ｄ）に示すように中空で後端が開放したヨーク２１は、その前面及び外周の一部をヨークカバー２１ａにより覆われると共に、背面側にはヨークアダプタ２１ｂが配置されている。ヨーク２１の前面とヨークカバー２１ａの内面との間にはプロテクタ２１ｃを配置する。ヨークアダプタ２１ｂの背面側にはマグネット２２、プレート２３が順次積層して配置される。プレート２３とヨークの後端開放部内壁との間には、ボイスコイル１１の一端を挿入するための環状スリットＳが形成されている。
磁気回路部品２０は、ボイスコイル１１を磁力線が横切るように磁界を発生させる。
フレーム２の中央部開口部内には背面側から支柱部材３０の支柱部３１が差し込まれ、支柱部３１の外周によって内周面を支持された薄肉円筒状のボイスコイル１１の先端部を磁気回路部品２０の背面に形成された環状スリットＳ内に差し込んだ状態で、全ての磁気回路部品をネジ３５によって支柱部３１に螺着固定している。
【００１５】
支柱部材３０は背面板３２と、その前面中央部から突出した支柱部３１とから構成され、支柱部３１をフレーム２の中央部開口部内に差し込んだ状態で、背面板３２をネジ３６によってフレーム２に螺着固定される。
ダンパー１３は、振動板１４を弾性的に支持する手段であり、その前面外周部を、ダンパーリング１３ａを介して振動板１４の外周フランジ部１４ａの背面に添設され、フレーム２に対してネジ３７によって固定される。
図示しないスピーカ端子から入力された電気信号がボイスコイル１１に流れると、ボイスコイル１１を前後方向（軸方向）に移動させる電磁力が発生し、この力によって振動板１４が振動し、電気信号が音波に変換される。
【００１６】
次に、図２（ａ）（ｂ）及び（ｃ）は本発明の一実施形態に係るスピーカユニット組立て治具を構成する振動板取付治具の構成を示す斜視図、前面図、及びＢ−Ｂ縦断面図であり、図３（ａ）（ｂ）（ｃ）（ｄ）及び（ｅ）はスピーカユニット組立て治具を構成するボイスコイル支持治具の構成を示す斜視図、正面図、平面図、底面図、及びＤ−Ｄ縦断面図であり、図４（ａ）（ｂ）（ｃ）及び（ｄ）は本発明のスピーカユニット組立て治具を構成するボイスコイル支持治具の構成を示す分解斜視図、前面図、Ｃ−Ｃ縦断面図、及び背面図である。
【００１７】
スピーカユニット組立て治具５０は、振動板取付治具５１と、ボイスコイル支持治具６０と、ダンパー取付け治具７０と、を備えている。
振動板取付治具５１は、図２に示すように、底面（背面）が定置に適したフラット面となっており、底面と反対側の面（上面）に同心円状に配置された環状の凹凸部を有した円板体である。上面中央部には、磁気回路部品２０を嵌合させて保持する凹状の磁気回路部品固定部５２を有した突部５３が突設され、突部５３の上面であって磁気回路部品固定部５２の外径側には環状且つテーパ状（コーン形状）の振動板取付面５４を有し、更に振動板取付面５４の外径側（最外周部）には環状張出し面５５が連設されている。振動板取付面５４は、振動板１４の前面を密着支持するように構成される。環状張出し面５５の上面には、環状溝、及び環状突部から成る位置決め部５６が形成されている。突部５３と環状張出し面５５との間には環状凹部５８を設け、振動板取付面５４に添設された振動板１４の最外周縁にあるエッジロール部１４ａの逃げ部として利用する。
振動板取付治具５１は、硬質樹脂、セラミック等の一定以上の剛性を有した材料から構成する。
磁気回路部品固定部５２は、内奥部に小径凹所５２ａを有し、この小径凹所５２ａ内に磁気回路部品２０の底部を嵌合支持できるように寸法設定される。磁気回路部品２０を小径凹所５２ａ内に嵌合させた際には、磁気回路部品２０の端面に形成された環状スリットＳが上面側を向くこととなる。
【００１８】
ボイスコイル支持治具６０は、図３に示すように、大径部６１と小径部６２を有すると共に、軸方向に貫通する一本のスリット６３を有した中空円筒体であり、スリット６３の存在によってボイスコイル支持治具の外径寸法を弾性的に伸縮できるように構成されている。大径部６１はその外面によってボイスコイル１１の一端部内面を弾性的に支持することにより、ボイスコイルの他端部を大径部６１から軸方向外側へ突出させるように構成されている。このボイスコイル支持治具６０により支持されたボイスコイル１１の他端部（軸方向前端部）を磁気回路部品固定部５１内に嵌合支持された磁気回路部品２０の環状スリットＳ内に差込むこととなる。ボイスコイルの他端部を環状スリットＳ内に挿入した状態では、振動板取付治具中央部からボイスコイル支持治具の小径部６２が突出した状態となる。尚、ボイスコイル１１は磁気回路部品２０に対しては浮いた状態であり、接続されていない。そのため、この段階ではボイスコイル１１はどこにも接続されていないため、ボイスコイル支持治具６０を取り外すことはできない。そして、振動板取付治具５１の中央部からボイスコイル支持治具の小径部６２が突出した状態となることで、後述する組付け工程の最終段階（図１０、図１１）において、ボイスコイル支持治具を取り外す作業性を高めることができる。ボイスコイル支持治具６０は、樹脂、金属等から構成される。
【００１９】
環状のダンパー取付け治具７０は、図４に示すように、振動板取付治具５１の環状張出し面５５に設けた位置決め部５６と係合する被位置決め部７２を外周前面に有すると共に振動板取付面５４に取り付けられた振動板１４の一部とボイスコイル支持治具６０とを露出させる開口部７３を有し、開口部７３の内周縁に段差状のダンパー支持部７４を有する。ダンパー取付け治具７０は、２つの対称形状の半環状片（分割片）７１から成り、組付け、分割自在に構成されている。
なお、ダンパー取付け治具７０を、３個以上の分割片から構成してもよい。このダンパー取付け治具７０は、後に詳細に説明するが、ダンパーを所定位置に取付けた後に、振動板取付け治具から取り除く工程がある。例えば、スピーカが大口径であるような場合、ダンパー取付け治具７０を３個もしくはそれ以上の分割片から構成することで各分割片を取り扱いやすい大きさとすることができ、ダンパー取付け治具を取り除く工程での作業性が向上する。
【００２０】
図５乃至図１１は本発明の一実施形態に係るスピーカユニット組立て治具５０を用いてスピーカユニット１を組み立てる方法を説明する図である。
まず、図５は、振動板取付治具５１の磁気回路部品固定部５２（小径凹所５２ａ）内に磁気回路部品２０の一端部を嵌合する磁気回路部品固定工程を示している。固定部５２内に着座した磁気回路部品２０の前面には環状スリットＳが位置している。
次に、図６（ａ）（ｂ）に示したボイスコイル挿着工程では、ボイスコイル支持治具６０の大径部６１に嵌着したボイスコイル１１の他端部を、図５に示した磁気回路部品の環状スリットＳ内に差し込む。この際、作業者は、ボイスコイル支持治具６０の小径部６２を把持しつつ、環状スリットＳの位置を目視確認しながら、環状スリットＳ内に治具６０の端部から突出したボイスコイル１１の他端部を正確に挿着することができる。このため、環状スリットＳとボイスコイル端部との間のギャップクリアランスを均一に保つことができるようになり、スピーカユニットの駆動時にボイスコイルの擦れによる異音発生や、大振幅時における破壊を効果的に防止することが可能となる。
ボイスコイルの組付け後に、振動板取付治具５１のテーパ状（コーン形状）の振動板取付面５４に振動板１４の一面が密着するように振動板１４を載せて、振動板１４の内周部とボイスコイル１１の外周部に接着剤を塗布して接着する。このように振動板組立て治具には振動板の曲面を支持する曲面状の振動板取付面５４を有しているため、振動板取付治具５１に振動板１４を取り付けた際に振動板に外力がかかっても沈み込みや、浮き上がることが無くなり、振動板の組付け位置を安定して確保することができる。
【００２１】
次に、図７（ａ）（ｂ）では、振動板１４を組み付けた状態にある振動板取付治具５１の環状張出し面５５の上面周縁に設けた位置決め部５６に対して、ダンパー取付け治具７０を構成する２つの半環状片７１に設けた被位置決め部７２が整合状態で係合するように順次組み付けてゆく。この例では、位置決め部５６は環状位置決め溝から成り、この位置決め溝内に凸条部から成る被位置決め部７２を嵌合させることによって、振動板取付治具５１とダンパー取付け治具７０との位置精度を確保しつつ両者を結合させる。
図８はダンパーを組み付けた状態を示しており、ダンパー取付け治具７０のダンパー支持部７４上にダンパー１３の外周縁を支持させた状態でダンパー内周部をボイスコイル１１の外周面と接着固定する。
図９は、ダンパー１３とボイスコイル１１との接着が完了した時点以降に、ダンパー取付け治具を構成する各半環状片７１を振動板取付治具から取り外した状態を示している。この状態では、フレーム２の取付けが可能となっている。
【００２２】
図１０はフレーム２をダンパー１３の背面側に組み付けてネジ止めする状態を示しており、ダンパー１３に予め形成されているネジ穴１３ｂとフレーム２に形成されている取付け穴２ａとを整合させた状態でネジ３６を締結する。フレーム２は振動板取付治具５１の環状張出し面５５（フレーム位置決め手段）により組付け位置を正確に確定できるので、先に組み付けられた振動系部品に対する組付け精度を高めることができる。
図１１ではフレームの中央開口部内に位置するボイスコイル支持治具６０を除去してから、フレームの中央開口部内に対して支柱部材３０を組み付ける。次いで、フレーム２の中央部開口部内に背面側から支柱部材３０を差し込んだ状態で、磁気回路部品全体をネジ３５によって支柱部３１に螺着固定する。
【００２３】
以上のように本発明によれば、振動系部品１０の前面側中央部に磁気回路部品２０を組み付けた構造のスピーカユニットを組み立てる際に、磁気回路部品２０を予め組立て治具５０に固定してから、振動系部品１０を順次組み付けてゆくようにしたので、磁気回路部品側の環状スリット内にボイスコイルの端部を正確な位置関係で挿入することが可能となり、組付け精度を高めることができる。つまり、図１１に示したタイプのスピーカユニットと同様に、磁気回路部品の環状スリット内にボイスコイルを挿入して組立てる工程を実施できるので、ギャップクリアランスが正確に保たれる。
即ち、本発明では、ダンパーとボイスコイルとを接着する際に専用の治具を用いて組立てるため、作業性を高めることができる。特に、振動板取付治具５１の上面中央部に設けた固定部５２によって磁気回路部品２０を固定して環状スリットが露出されるようにしたので、環状スリット（ギャップ）の位置を目視確認しながらボイスコイル端部を正確に挿入することが可能となる。治具をガイドとして、他の部品である振動板、ダンパー等を順次正確に組み付けることが可能となる。そして、振動板およびダンパーの高さ位置を正確化することができる。
【００２４】
ダンパー取付け治具７０は互いに分離自在な２つの半環状片７１を用いて構成されており、振動板取付治具５１に設けた位置決め部５６により位置決め可能であるため、ダンパー１３を正確に位置出ししてボイスコイルに接着することが可能となる。特に、ダンパー取付け治具７０が分離可能な２つのピースから構成されているため、ダンパーとボイスコイルの接着後にダンパー取付け治具を容易に外すことができる。
磁気回路部品２０に対して振動系部品１０を組み付けた後で、フレームを組み付けて各部品の位置関係を確定し、ボイスコイル支持治具を取り外してから、支柱部材を組み付けることによりスピーカユニットの組み付けが完了する。
【図面の簡単な説明】
【００２５】
【図１】（ａ）は本発明の組立て治具によって組み立てられたスピーカユニットの構成を示す斜視図、（ｂ）は分解斜視図、（ｃ）は正面図、（ｄ）はＡ−Ａ断面図である。
【図２】（ａ）（ｂ）及び（ｃ）は本発明の一実施形態に係るスピーカユニット組立て治具を構成する振動板取付治具の構成を示す斜視図、前面図、及びＢ−Ｂ縦断面図である。
【図３】（ａ）（ｂ）（ｃ）（ｄ）及び（ｅ）はスピーカユニット組立て治具を構成するボイスコイル支持治具の構成を示す斜視図、正面図、平面図、底面図、及びＤ−Ｄ縦断面図である。
【図４】（ａ）（ｂ）（ｃ）及び（ｄ）は本発明のスピーカユニット組立て治具を構成するダンパー取付け治具の構成を示す分解斜視図、前面図、Ｃ−Ｃ縦断面図、及び背面図である。
【図５】本発明の一実施形態に係るスピーカユニット組立て治具を用いてスピーカユニットを組み立てる方法（磁気回路部品固定工程）を説明する図である。
【図６】（ａ）及び（ｂ）はボイスコイル挿着工程を示す図である。
【図７】（ａ）及び（ｂ）はダンパー取付け治具を組み付ける手順を示す図である。
【図８】ダンパーを組み付けた状態を示す図である。
【図９】ダンパーとボイスコイルとの接着が完了した時点以降に、各半環状片を振動板取付治具から取り外した状態を示す図である。
【図１０】フレームをダンパーの背面側に組み付けてネジ止めする状態を示す図である。
【図１１】支柱部材を組み付ける手順を示す図である。
【図１２】従来のコーン型のスピーカユニットの構成を示す縦断面図である。
【図１３】磁気回路部品を振動系部品の前面中央部側に配置することによって薄型化を図ったタイプのスピーカユニットの構成を示す断面図である。
【符号の説明】
【００２６】
１…スピーカユニット、２…フレーム、２ａ…穴、１０…振動系部品、１１…ボイスコイル、１３…ダンパー、１３ａ…ダンパーリング、１３ｂ…ネジ穴、１４…振動板、１４ａ…エッジロール部（外周フランジ部）、２０…磁気回路部品、２１…ヨーク、２１ａ…ヨークカバー、２１ｂ…ヨークアダプタ、２１ｃ…プロテクタ、２２…マグネット、２３…プレート、３０…支柱部材、３１…支柱部、３２…背面板、３５…ネジ、３６…ネジ、３７…ネジ、５０…スピーカユニット組立て治具、５１…磁気回路部品固定部、５１…振動板取付治具、５２…固定部、５２…磁気回路部品固定部、５２ａ…小径凹所、５３…突部、５４…振動板取付面、５８…環状凹部、６０…ボイスコイル支持治具、６１…大径部、６２…小径部、６３…スリット、７０…ダンパー取付け治具、７１…分割片（半環状片）、７３…開口部、７４…ダンパー支持部。
【図１】
0005076720.tif 000002
【図２】
0005076720.tif 000003
【図３】
0005076720.tif 000004
【図４】
0005076720.tif 000005
【図５】
0005076720.tif 000006
【図６】
0005076720.tif 000007
【図７】
0005076720.tif 000008
【図８】
0005076720.tif 000009
【図９】
0005076720.tif 000010
【図１０】
0005076720.tif 000011
【図１１】
0005076720.tif 000012
【図１２】
0005076720.tif 000013
【図１３】
0005076720.tif 000014